(57)【特許請求の範囲】
【請求項１】
帯板状の中身部材と、前記中身部材を覆う袋状の袋部材とからなり、
前記中身部材は、セル膜を有さない骨格のみのポリウレタンフォームからなり、表裏面の少なくとも一方の面の少なくとも折り曲げ部に相当する箇所に千鳥状に凹凸を有し、前記凹凸は、前記中身部材の厚みの２０％以上を有しており、
前記袋部材は、長手方向両端部及び幅方向両端部に複数の形状保持部材を備えてなり、
前記形状保持部材は、前記袋部材で覆われた前記中身部材ごとその長手方向両端部を中央に向けて折り曲げる２つ折り状態、又は２箇所で折り曲げて３重に重ねる３つ折り状態、又は一端部から巻き付けた丸め状態に保持するものであることを特徴とする枕。
【請求項２】
前記中身部材と前記袋部材とが縫い目で固定されていることを特徴とする請求項１記載の枕。
【請求項３】
帯板状の中身部材と、前記中身部材を覆う袋状の袋部材とからなり、
前記中身部材は、セル膜を有さない骨格のみのポリウレタンフォームからなり、表裏面の少なくとも一方の面の少なくとも折り曲げ部に相当する箇所に千鳥状に凹凸を有し、前記凹凸は、前記中身部材の厚みの２０％以上を有しており、
前記袋部材は、長手方向両端部及び幅方向両端部に複数の形状保持部材を備えてなり、
前記形状保持部材は、前記袋部材で覆われた前記中身部材ごとその長手方向両端部を中央に向けて折り曲げる２つ折り状態、又は２箇所で折り曲げて３重に重ねる３つ折り状態、又は一端部から巻き付けた丸め状態に保持するものであり、
前記中身部材と前記袋部材とが、折り曲げ部にて縫い目で固定されており、また、前記縫い目は、前記枕の幅方向両端部を除く中央部に有することを特徴とする枕。
【請求項４】
前記中身部材を、セル膜を有さない骨格のみの低反発ポリウレタンフォームで構成したことを特徴とする請求項１〜３のいずれかに記載の枕。
【発明の詳細な説明】
【技術分野】
【０００１】
本発明は枕に関し、軟質ウレタンフォームを中身部材としたものであっても洗濯乾燥性に優れるとともに、使用者の好みにあわせて外形状（高さなど）を選択して使用できるようにしたものである。
【背景技術】
【０００２】
睡眠に用いられる枕の中身部材としては、種々の素材のものがその触感や硬さなどの好みに応じて用いられており、その１つに軟質ウレタンフォームを中身部材とする枕が用いられることも多く、比較的やわらかい感触でクッション性に優れている。
一方、軟質ウレタンフォームを中身部材とした枕では、通気性が低いため蒸れやすく、汚れた場合に中身部材を洗濯すると、乾きにくいという問題がある。
そこで、例えば特許文献１の枕では、軟質ウレタンフォームを無膜化して通気性を向上させるとともに、洗濯できるようにしたものが提案されている。
【０００３】
また、特許文献２の枕では、図５に示すように、側生地１および中身材２を水洗い可能な素材で形成するとともに、上下の側生地１，１を展開状態で帯状体３とし、この帯状体３に長手方向に沿って複数（４つ）の袋状区分４，４，４，４を形成して区画し、各袋状区分４に扁平状の中身材２を収納し、帯状体３を袋状区分の境で折って回転方向へ順次折り畳んで層状に重ねることで、枕として使用するようになっている。これにより、扁平状の帯状体３として洗濯機での水洗いを可能とし、展開状態のままの帯状体３で乾燥を早くすることができる。
【先行技術文献】
【特許文献】
【０００４】
【特許文献１】特開２０００−１３９６５３号公報
【特許文献２】特開２００５−３０４６１２号公報
【発明の概要】
【発明が解決しようとする課題】
【０００５】
このような特許文献１の枕では、無膜化した軟質ウレタンフォームを使用するものの、洗濯した場合に、内部は乾き難くいという問題がある。
また、特許文献２の枕では、帯状体３を展開状態で洗濯し乾燥させることで、乾燥を早くすることができるものの、枕として使用する場合に、帯状体３の袋状区分４，４，４，４の境目から折り曲げるため折り曲げ部５が枕の前後端で重なるように集中し、折り曲げ部５，５が使用者の首に接触することになり、寝心地が悪くなってしまうという問題がある。
また、枕の高さを調整しようとすると、中身材２の高さを異なるものに変えたり、中身材２の充填量を変える必要があり、特に高くしようとする場合には、別に用意した補充用の中身材が必要で、簡単に調整することができないというい問題がある。
【０００６】
本発明は、かかる従来技術における課題を解決するためなされたものであり、洗濯乾燥が簡単にでき、寝心地に優れるとともに、高さの調整が簡単にできる枕を提供しようとするものである。
【課題を解決するための手段】
【０００７】
上記課題を解決するため、本発明の請求項１記載の枕は、帯板状の中身部材と、前記中身部材を覆う袋状の袋部材とからなり、前記中身部材は、セル膜を有さない骨格のみのポリウレタンフォームからなり、表裏面の少なくとも一方の面の少なくとも折り曲げ部に相当する箇所に千鳥状に凹凸を有し、前記凹凸は、前記中身部材の厚みの２０％以上を有しており、前記袋部材は、長手方向両端部及び幅方向両端部に複数の形状保持部材を備えてなり、前記形状保持部材は、前記袋部材で覆われた前記中身部材ごとその長手方向両端部を中央に向けて折り曲げる２つ折り状態、又は２箇所で折り曲げて３重に重ねる３つ折り状態、又は一端部から巻き付けた丸め状態に保持するものであることを特徴とするものである。
【０００８】
また、本発明の請求項２に記載の枕は、請求項１記載の構成に加え、前記中身部材と前記袋部材とが縫い目で固定されていることを特徴とするものである。
【０００９】
さらに、本発明の請求項３記載の枕は、帯板状の中身部材と、前記中身部材を覆う袋状の袋部材とからなり、前記中身部材は、セル膜を有さない骨格のみのポリウレタンフォームからなり、表裏面の少なくとも一方の面の少なくとも折り曲げ部に相当する箇所に千鳥状に凹凸を有し、前記凹凸は、前記中身部材の厚みの２０％以上を有しており、前記袋部材は、長手方向両端部及び幅方向両端部に複数の形状保持部材を備えてなり、前記形状保持部材は、前記袋部材で覆われた前記中身部材ごとその長手方向両端部を中央に向けて折り曲げる２つ折り状態、又は２箇所で折り曲げて３重に重ねる３つ折り状態、又は一端部から巻き付けた丸め状態に保持するものであり、前記中身部材と前記袋部材とが、折り曲げ部にて縫い目で固定されており、また、前記縫い目は、前記枕の幅方向両端部を除く中央部に有することを特徴とするものである。
【００１０】
また、本発明の請求項４記載の枕は、請求項１〜３のいずれかに記載の構成に加え、前記中身部材を、セル膜を有さない骨格のみの低反発ポリウレタンフォームで構成したことを特徴とするものである。
【発明の効果】
【００１１】
本発明の請求項１記載の枕によれば、帯板状の中身部材と、前記中身部材を覆う袋状の袋部材とからなり、前記中身部材は、セル膜を有さない骨格のみのポリウレタンフォームからなり、表裏面の少なくとも一方の面の少なくとも折り曲げ部に相当する箇所に千鳥状に凹凸を有し、前記凹凸は、前記中身部材の厚みの２０％以上を有しており、前記袋部材は、長手方向両端部及び幅方向両端部に複数の形状保持部材を備えてなり、前記形状保持部材は、前記袋部材で覆われた前記中身部材ごとその長手方向両端部を中央に向けて折り曲げる２つ折り状態、又は２箇所で折り曲げて３重に重ねる３つ折り状態、又は一端部から巻き付けた丸め状態に保持するものであるので、洗濯する際に帯状態に展開することができ、洗いやすく短時間に乾燥することができる。
また、中身部材の千鳥状の凹凸（プロファイル加工による凹凸）を利用して折り曲げて形状保持部材で外形状の異なる２つ折り状態、又は３つ折り状態、又は丸め状態の枕を構成することができるとともに、折り曲げ部が鋭角になったり、薄く突き出すことがなく、千鳥状の凹凸（プロファイル加工された）の折り曲げ部により首が接触しても違和感がなく寝心地の良い枕にすることができる。
さらに、複数の形状保持部材によって異なる２つ折り状態、又は３つ折り状態、又は丸め状態の外形状に簡単に保持することができ、別に中身部材を用意したり、中身部材の一部を取り除くなどの必要もなく高さの調整を簡単に行うことができる。
【００１２】
また、本発明の請求項２に記載の枕によれば、前記中身部材と前記袋部材とが縫い目で固定されているので、枕を異なる形状に折り曲げる場合に、中身部材と袋部材がずれることがなく、より折り曲げ易くなるとともに、枕として使用する際の首などとの接触による寝心地の悪化を防止することができる。
【００１３】
さらに、本発明の請求項３記載の枕によれば、帯板状の中身部材と、前記中身部材を覆う袋状の袋部材とからなり、前記中身部材は、セル膜を有さない骨格のみのポリウレタンフォームからなり、表裏面の少なくとも一方の面の少なくとも折り曲げ部に相当する箇所に千鳥状に凹凸を有し、前記凹凸は、前記中身部材の厚みの２０％以上を有しており、前記袋部材は、長手方向両端部及び幅方向両端部に複数の形状保持部材を備えてなり、前記形状保持部材は、前記袋部材で覆われた前記中身部材ごとその長手方向両端部を中央に向けて折り曲げる２つ折り状態、又は２箇所で折り曲げて３重に重ねる３つ折り状態、又は一端部から巻き付けた丸め状態に保持するものであり、前記中身部材と前記袋部材とが、折り曲げ部にて縫い目で固定されており、また、前記縫い目は、前記枕の幅方向両端部を除く中央部に有するので、枕の形状を、２つ折り状態、３つ折り状態、丸め状態の３つの状態に保持することができ、これにより、簡単に高さを調整することができる。
特に、折り曲げ部を縫い目で固定するようにすれば、折り曲げ易くなり、枕としての外形状を保つことができるので好ましい。幅方向中央部にある程度の長さの縫い目を入れて互いを固定するようにする。このような縫い目で中身部材と袋部材とを固定することで、袋状区分などに比べ縫い目で固定する幅がごくわずかなため折り曲げる場合に鋭く突き出すことがなく、枕として使用する際の首などとの接触による寝心地の悪化を防止することができる。
【００１４】
また、本発明の請求項４記載の枕によれば、前記中身部材を、セル膜を有さない骨格のみの低反発ポリウレタンフォームで構成したので、頭部を均一に支えることができ、一層寝心地の良い枕とすることができる。
【図面の簡単な説明】
【００１５】
【図１】本発明の枕の一実施の形態にかかる２つ折り状態の概略斜視図および展開状態の概略斜視図である。
【図２】本発明の枕の一実施の形態にかかる３つ折り状態の概略斜視図および展開状態の概略斜視図である。
【図３】本発明の枕の一実施の形態にかかる丸め状態の概略斜視図および展開状態の概略斜視図である。
【図４】本発明の枕の一実施の形態にかかる中身部材の概略斜視図および端面図である。
【図５】従来の枕の展開状態の概略斜視図および使用状態の横断面図である。
【発明を実施するための形態】
【００１６】
以下、本発明を実施するための形態について、図面を参照して詳細に説明する。
本発明における枕１０は、帯板状で表裏面の少なくとも一方にプロファイル加工が施された無膜化した軟質ポリウレタンフォームの中身部材１１と、この中身部材１１を覆う袋状の袋部材１２と、この袋部材１２の長手方向両端部および幅方向両側端部に複数設けられ枕１０の形状を保持する形状保持部材１３とを備えて構成され、枕１０としての使用に際しては、形状保持部材１３により異なる外形状の枕１０，１０Ａ，１０Ｂとすることができ、洗濯やその後の乾燥の際には、袋部材１２で覆った中身部材１１ごと展開状態とすることができるように構成してある。
【００１７】
この枕１０を構成する中身部材１１は、帯板状の軟質ポリウレタンフォームを無膜化したものが用いられ、表裏面の少なくとも一方にプロファイル加工１１ａが施されている。なお、プロファイル加工は、折り曲げ部に相当する箇所に施されていれば良く、表裏面の一方の全面、あるいは表裏両面の全面に施されても良い。
例えば、図４に示すように、表面の全面に凹凸が千鳥状に成型されたものであれば、プロファイル加工１１ａが施された面に頭部が位置するように使用されるので好ましい。これにより、枕の底付き感を緩和することができる。
【００１８】
前記軟質ポリウレタンフォームの中身部材１１は、使用者の好みに応じて密度や硬さが選択され、枕として使用できる範囲とされるが、例えば密度を２０ｋｇ／ｍ3以上、硬さが４０％圧縮時で６０Ｎ以上の無膜化した軟質ポリウレタンフォームが用いられる。
ここで、無膜化した軟質ポリウレタンフォームとは、セル（気泡）から薄い膜を除去して骨格のみにしたものである。セル膜を除去する方法として、例えばアルカリ処理や爆発処理、その他の熱処理などが採用される。
また、帯板状の中身部材１１の寸法としては、後述する枕として使用する主たる外形状によっても異なるが、幅が４００〜６００ｍｍ、長さが５００〜１２００ｍｍ、厚みが２０〜５０ｍｍの範囲になるようにすればよい。そうすれば、折り曲げて枕として使用する際の外形状は、幅が４００〜６００ｍｍ、長さが２５０〜４００ｍｍ、厚みが４０〜２００ｍｍの範囲となり、通常使用されている枕の外形にすることができる。
さらに、中身部材１１の厚みの２０％以上がプロファイル加工されていることにより、折り曲げ易くなるとともに、折り曲げ部の違和感をなくすことができ好ましい。例えば、中身部材１１としては、厚み３５ｍｍで帯板状のプロファイル加工高さが１０／３５ｍｍ（最小厚み１０ｍｍ、最大厚み３５ｍｍ）、幅が５４０ｍｍ、長さが７６０ｍｍとしたものが用いられる。
【００１９】
なお、中身部材１１として用いられる無膜化した軟質ポリウレタンフォームには、無膜化した低反発ポリウレタンフォームも含まれ、頭部を均一に支えることができ、一層寝心地の良い枕とすることができる。この低反発ポリウレタンフォームの反発弾性は、ＪＩＳ  Ｋ  ６４００−３に準拠する方法で測定されたもので、１〜２０％のものが好ましい。
【００２０】
このような中身部材１１を覆うように設けられる袋部材１２は、例えば図１〜図３の各図（ｂ）に示すように、枕を構成する中身部材１１の直接の汚れ防止や頭部接触時のソフト感を出すとともに、形状保持部材１３と協働して枕の外形状を定めるものである。
【００２１】
この袋部材１２は、枕全体の洗濯後の乾きやすさや枕としての使用時のソフト感を出すためメッシュ生地、綿布などの乾き易い素材を用いることが好ましく、例えばポリエステル１００％のメッシュ生地が用いられる。
【００２２】
この袋部材１２は、中身部材１１を収納できる大きさとされ、上記した帯状体の寸法のもの（プロファイル加工高さが１０／３５ｍｍ、幅が５４０ｍｍ、長さが７６０ｍｍとしたもの）に対し、例えば長さが８００ｍｍ、幅が５８０ｍｍのポリエステルメッシュ生地を袋状に縫製し、長手方向一端部である幅の辺の一方を開口として中身部材１１を挿入できるようにし、中身部材１１を挿入後、開口部を縫って閉じるようにする。なお、開口部にファスナーを設けて閉じるようにしても良く、中身部材１１と袋部材１２を簡単に分離して洗濯したり、乾燥することが可能となる。
【００２３】
このような袋部材１２で帯板状の中身部材１１を覆って開口部を縫って閉じた後、中身部材１１と袋部材１２とを縫い止めても良い。縫い止める箇所としては、折り曲げる際に、中身部材１１と袋部材１２がずれたりしない箇所であれば良く、特に、折り曲げ部を縫い止めるようにすれば、折り曲げ易くなり、枕としての外形状を保つことができるので好ましい。例えば、枕としての外形状を保つことができるようにするため、長手方向両端部から長さの１／４の２箇所に、幅方向中央部にある程度の長さの縫い目１４，１４を入れて互いを固定するようにし、例えば３５０ｍｍ程度の長さ（中身部材の全幅は５４０ｍｍ）の縫い目１４，１４を入れて互いを固定する。
このような縫い目１４，１４で中身部材１１と袋部材１２とを固定することで、袋状区分などに比べ縫い止めの幅がごくわずかなため折り曲げる場合に鋭く突き出すことがなく、枕として使用する際の首などとの接触による寝心地の悪化を防止することができる。
【００２４】
このような袋部材１２には、枕としても外形状を保持するための形状保持部材１３が複数設けられる。
この枕では、外形状を変えることで図１〜図３に示す３つの異なる枕１０，１０Ａ、１０Ｂにできるようにしており、袋部材１２で覆われた中身部材１１ごとその長手方向両端部を中央に向けて折り曲げる２つ折り状態（図１参照）の枕１０と、２箇所で折り曲げて３重に重ねる３つ折り状態（図２参照）の枕１０Ａと、一端部から巻き付けた丸め状態（図３参照）の枕１０Ｂとに保持可能な位置に形状保持部材１３を配置してある。
ここでは、３つの外形状をそれぞれ保持するために必要な場合に分けて形状保持部材１３，１３Ａ，１３Ｂの配置を説明するが、実際の袋部材１２には、全ての場合に対応できる形状保持部材１３，１３Ａ，１３Ｂが１つの袋部材１２に設けられたり、必要に応じて、１〜複数の外形状を保持するための形状保持部材を設けるようにしても良い。
【００２５】
まず、袋部材１２で覆われた中身部材１１ごとその長手方向両端部を中央に向けて折り曲げる２つ折り状態とする枕１０では、図１に示すように、袋部材１１の長手方向両端部である短辺それぞれの両端および中央の３箇所に蝶結びができる長さの紐１３ａが取り付けてあり、幅方向両側端部である長辺の中央部に紐１３ａを通すことができる紐を環状としたループ１３ｂが設けてある。
【００２６】
したがって、この枕１０では、袋部材１２で覆われた中身部材１１ごとその長手方向両端部を中央に向けて折り曲げて２つ折り状態とした後、袋部材１２の短辺の両端同士の紐１３ａ，１３ａのいずれかをループ１３ｂに通して結ぶとともに、短辺中央の紐１３ａ，１３ａ同士を蝶結びとする。これにより、２つ折り状態の枕１０とすることができる。
また、この枕１０では、洗濯する場合には、結んだ紐１３ａ，１３ａ同士を解くことで、展開状態にすることができ、１枚の帯板状とすることで、洗濯を容易とするとともに、乾燥をし易くすることができる。
さらに、枕１０とする場合の折り曲げ部分は滑らかな曲線となり、袋状区分などを設ける場合に比べ鋭く突き出すことがなく、枕として使用する際の首などとの接触による寝心地の悪化を防止することができ、寝心地の良い枕とすることができる。
【００２７】
次に、枕１０に比べて高さを高くする枕１０Ａとする場合には、図２に示すように、袋部材１２で覆われた中身部材１１ごと２箇所で折り曲げて３重に重ねる３つ折り状態とするようにしており、形状保持部材１３Ａとして袋部材１１の長手方向両端部である短辺それぞれの両端の２箇所に蝶結びができる長さの紐１３Ａａが取り付けてあり、幅方向両側端部である長辺の３等分の位置に紐１３Ａｂが設けてある。
【００２８】
したがって、この枕１０Ａでは、袋部材１２で覆われた中身部材１１ごと２箇所で折り曲げて３重に重ねる３つ折り状態とした後、袋部材１２の短辺の両端の紐１３Ａａと側端部の遠い方の紐１３Ａｂとをそれぞれ蝶結びとする。これにより、３つ折り状態の枕１０Ａとすることができる。
また、この枕１０Ａでは、洗濯する場合には、結んだ紐１３Ａａ，１３Ａｂ同士を解くことで、展開状態にすることができ、１枚の帯板状とすることで、洗濯を容易とするとともに、乾燥をし易くすることができる。
さらに、枕１０Ａとする場合でも折り曲げ部分は滑らかな曲線となり、袋状区分などを設ける場合に比べ鋭く突き出すことがなく、枕として使用する際の首などとの接触による寝心地の悪化を防止することができ、寝心地の良い枕とすることができる。
【００２９】
次に、２つ折りの枕１０や３つ折りの枕１０Ａに比べて高さをさらに高くした枕１０Ｂとする場合には、図３に示すように、袋部材１２で覆われた中身部材１１ごと一端部から巻き付けた丸め状態とするようにしており、形状保持部材１３Ｂとして袋部材１１の長手方向両端部である短辺それぞれの両端の２箇所に蝶結びができる長さの紐１３Ｂａが取り付けてある。
【００３０】
したがって、この枕１０Ｂでは、袋部材１２で覆われた中身部材１１ごと一端部から巻き付けた丸め状態とした後、袋部材１２の短辺の両端の紐１３Ｂａと他方の短辺の両端の紐１３Ｂａとをそれぞれ蝶結びとする。これにより、一端部から巻き付けた丸め状態の枕１０Ｂとすることができる。
また、この枕１０Ｂでは、洗濯する場合には、結んだ紐１３Ｂａ，１３Ｂａ同士を解くことで、展開状態にすることができ、１枚の帯板状とすることで、洗濯を容易とするとともに、乾燥をし易くすることができる。
さらに、枕１０Ｂとする場合でも丸めた部分は滑らかな曲線となり、袋状区分などを設ける場合に比べ鋭く突き出すことがなく、枕として使用する際の首などとの接触による寝心地の悪化を防止することができ、寝心地の良い枕とすることができる。
【００３１】
この枕１０では、形状保持部材１３，１３Ａ，１３Ｂを１つの袋部材１２に設けておくことで、外形状の異なる枕１０，１０Ａ，１０Ｂに簡単に形成することができ、高さの調整を、別に高さ調整用の中身部材を用意したり、中身部材を取り出したりすることなく、簡単に行うことができる。
また、この枕１０では、中身部材１１として表裏面の少なくとも一方にプロファイル加工を施してあるので、中身部材のプロファイル加工による凹凸を利用して折り曲げて形状保持部材で外形状の異なる枕を構成することができ、折り曲げ部が鋭角になったり、薄く突き出すことがなく首が接触しても違和感がなく寝心地の良い枕にすることができる。
さらに、この枕１０では、中身部材１１として無膜化した軟質ポリウレタンフォームを用いるとともに、表裏面の少なくとも一方にプロファイル加工を施してあるので、中身部材の無膜化及びプロファイル加工による凹凸を利用して通気性を確保することができ、洗濯後の乾燥を短時間にすることができる。
【００３２】
上記の実施の形態では、枕１０，１０Ａ，１０Ｂとして使用する場合に袋部材１２を外表面として使用するかのように説明したが、通常の枕と同様に、枕カバーを巻いて使用するようにすれば良く、一般的な４３０ｍｍ×６３０ｍｍの枕カバーを使用することができる。また、枕カバーによって通常の汚れに対しては枕カバーだけの洗濯で済ませることができる。
【００３３】
上記の実施の形態では、形状保持部材として紐やループを例に説明したが、これに限らず、枕１０，１０Ａ，１０Ｂとして使用する場合の形状を保持できるものであれば良く、プラスチックホックなど別の止め具を用いることもできる。
【符号の説明】
【００３４】
１０      枕
１０Ａ    枕
１０Ｂ    枕
１１      中身部材
１１ａ    プロファイル加工
１２      袋部材
１３      形状保持部材
１３ａ    紐
１３ｂ    ループ
１３Ａ    形状保持部材
１３Ａａ  紐
１３Ａｂ  紐
１３Ｂ    形状保持部材
１３Ｂａ  紐
１４      縫い目
【図１】
0005912258.tif 000002
【図２】
0005912258.tif 000003
【図３】
0005912258.tif 000004
【図４】
0005912258.tif 000005
【図５】
0005912258.tif 000006